(57)【要約】【課題】建物を強固に支持でき、地盤沈下等による建物の傾き修正や道路拡張等に伴う建物の移動の際に、建物に歪みを生じさせることなく容易にかつ迅速に傾き修正や移動を行えるようにすることにある。【解決手段】地盤２に設けた基礎７と、この基礎７の上方に構築される建物１との間に設けて前記建物１を支持するものであって、金属部材又は／及び硬質の合成樹脂部材で所望の構造形状に構築して建物１を支持する。また、前記のように金属部材等で所望の構造形状に構築してその所定箇所にジャッキ上端当接部材３４を設ける。【選択図】    図１
2004232205.tif 000002
【特許請求の範囲】
【請求項１】
地盤に設けた基礎と、この基礎の上方に構築される建物との間に設けて前記建物を支持するものであって、金属部材又は／及び硬質の合成樹脂部材によって所望の構造形状に構築した構成からなることを特徴とする建物支持構造物。
【請求項２】
前記金属部材又は／及び硬質の合成樹脂部材で構築する構造形状が、トラス構造であることを特徴とする請求項１に記載の建物支持構造物。
【請求項３】
前記のように構造形状に構築して所望箇所に、ジャッキ上端当接部材を設けたことを特徴とする請求項１又は２に記載の建物支持構造物。
【請求項４】
地盤に設けた基礎と、建物の下部との間に設けるものであって、前記建物の下部に固定する水平構造枠と、この水平構造枠内に設ける水平筋交いと、前記基礎の上に固定して水平構造枠を建物とともに支持する複数の支持柱と、支持柱の適宜箇所に設けたジャッキ上端当接部材と、水平構造枠と各支持柱とで囲まれた垂直方向の空間に設ける垂直筋交いとからなる建物支持構造物。
【請求項５】
前記水平筋交い又は／及び垂直筋交いは、長さ調節手段を備えている請求項４記載の建物支持構造物。
【請求項６】
地盤に設けた基礎と、この基礎の上方に構築される建物との間に設けて前記建物を支持するものであって、前記基礎の上に、基礎上面と所定の隙間を以って金属ベース部材を支持固定し、この金属ベース部材に建物の下部を防振部材を介して又は直接固定するようにした構成を特徴とする建物支持構造物。
【発明の詳細な説明】
【０００１】
【産業上の利用分野】
本発明は、地盤に設けた基礎の上に構築して建物を支持する建物支持構造物に関するものである。
【０００２】
【従来の技術】
一般に木造の家屋をはじめ各種の建物は、布基礎やベタ基礎や独立基礎等の基礎構造物の上に構築されている。例えば図１４に示すように建物１０１の基礎として布基礎１０３を地盤１０２に設けた場合、この布基礎１０３の凸部１０３ａの上に建物１の土台１０４を載置し、土台１０４に開けた穴（図示せず）を介して凸部１０３ａから突出しているアンカーボルト１０５にナット１０６を取り付け、土台１０４を凸部１０３ａに固定している。
【０００３】
また、建物の基礎分の構造を開示した先行文献としては、特開２００１−２９５３９８号公報等に開示のものが提案されている。
【０００４】
【発明が解決しようとする課題】
しかしながら、前記した従来のような建物１０１の支持構造では、建物１０１の土台１０４をコンクリートで構築した凸部１０３ａに直接載せて固定しているため、地盤沈下によって建物１０１が傾いたり、道路拡張等に伴って建物１を移動させねばなくなった場合、土台１０４と凸部１０３ａとの固定状態をナット１０６を外して解除しても、容易に建物１０１を押し上げて移動させることができなかった。
【０００５】
なぜならば、建物１０１を押し上げるためには、土台１０４と凸部１０３ａとの間にジャッキ（図示せず）を入れて建物１を押し上げねばならないが、土台１０４と凸部１０３ａとの間にジャッキ（図示せず）を設置する隙間がなく、土台１０４と凸部１０３ａとの間にジャッキ（図示せず）を設置できるようにするにはその作業が大変であった。そのため、建物１０１の傾きの修正や移動には、多大の労力と時間を要していた。
【０００６】
また、建物１０１を移動させる場合、ジャッキで建物１０１を土台１０４等から押し上げて、土台１０４の下にコロ等を設置し、移動手段（図示せず）で建物１０１を直接引っ張るため、移動作業中に建物１０１を歪ませて変形させてしまうといった問題があった。
【０００７】
本発明は前記のような点に鑑みて開発されたものであって、その目的とするところは、建物と基礎（建物荷重支持部）の間で建物（柱、壁、土台等）を強固に支持して基礎に建物の荷重を伝達でき、また、地盤沈下等による建物の傾きの修正や道路拡張等に伴う建物の移動工事を、建物を変形させることなく容易に行うことができ、また、建物の下の通気性が良く優れた強度で建物を支持できる建物支持構造物を提供することにある。
【０００８】
【課題を解決するための手段】
本発明は前記した目的を有効に達成するために、次のような構成にしてある。すなわち、請求項１に記載の本発明の建物支持構造物は、地盤に設けた基礎と、この基礎の上方に構築される建物との間に設けて前記建物を支持するものであって、金属部材又は／及び硬質の合成樹脂部材によって所望の構造形状に構築した構成である。なお、本発明における前記所望の構造形状は、建物を支持できて前記基礎に設けることができる形状であれば、特に限定される形状ではなく、如何なる構造の形状であってもよい。
【０００９】
前記請求項１に記載の構成により、建物を直接ではなく建物支持構造物を介して基礎に固定するため、建物の傾き修正や移動の時にも、直接建物を押し上げたり引いたりすることなく、建物支持構造物を介して押し上げ、また建物支持構造物を引いて建物を移動させることができるので、これらの作業時に建物を変形させたりすることなく、建物の傾き修正や移動を確実にかつ従来に比べ安全にかつ容易に実行することができる。
【００１０】
請求項２に記載の本発明の建物支持構造物は、請求項１に記載の建物支持構造物において、前記金属部材又は／及び硬質の合成樹脂部材で構築する構造形状が、トラス構造であることを特徴とする構成である。
【００１１】
前記請求項２の構成により、強度的に優れ、スパンの長い建物等でもより強固に支持できる。
【００１２】
請求項３に記載の本発明の建物支持構造物は、請求項１又は２に記載の建物支持構造物において、前記のように構造形状に構築して所望箇所に、ジャッキ上端当接部材を設けたことを特徴とする構成である。
【００１３】
前記請求項３の構成により、地盤沈下等によって建物が傾いた場合でも、その傾き状態を見て選択した位置のジャッキ上端当接部材の下方にジャッキを設置し、このジャッキ上端当接部材を介して建物をジャッキアップすることにより、簡単に建物の傾きを修正することができる。また、建物を移動させる場合も、適宜箇所のジャッキ上端当接部材の下方にジャッキを設置し建物支持構造物をジャッキアップし、コロ等を建物支持構造物の下に設置して建物を建物支持構造物を介して移動させることにより、建物に引っ張りに伴う変形等を生じさせることなく円滑に移動させることができる。
【００１４】
請求項４に記載の本発明の建物支持構造物は、地盤に設けた基礎と、建物の下部との間に設けるものであって、前記建物の下部に固定する水平構造枠と、この水平構造枠内に設ける水平筋交いと、前記基礎の上に固定して水平構造枠を建物とともに支持する複数の支持柱と、支持柱の適宜箇所に設けたジャッキ上端当接部材と、水平構造枠と各支持柱とで囲まれた垂直方向の空間に設ける垂直筋交いとからなる構成である。
【００１５】
前記請求項４の構成において地盤に設けた基礎とは、布基礎、ベタ基礎、独立基礎等であり、これらの基礎に前記支持構造物を介して建物を強固に支持することができる。また、水平構造枠と各支持柱とで囲まれた箇所は空間であるため建物の下の通気性が良い。そして地盤沈下等によって建物が傾いた場合でも、所望の支持柱の位置にジャッキを設置し、ジャッキ上端当接部材にジャッキ上端を当接させて押し上げることにより、簡単に建物の傾きを修正することができる。また、建物を移動させる場合も、各支持柱の位置にジャッキを設置することにより、建物の押し上げ作業を容易に行うことができ、建物の移動も簡単に行うことができる。
【００１６】
請求項５に記載の本発明の建物支持構造物は、請求項４に記載の建物支持構造物において、前記水平筋交い又は／及び垂直筋交いは、長さ調節手段を備えている構成である。
【００１７】
前記請求項５の構成により、地盤沈下した場合や建物の移動の際に建物支持構造物に歪みが生じても、適宜長さ調節手段を操作して水平筋交い又は／及び垂直筋交いの長さを調節することによって、容易に歪みを修正することができる。
【００１８】
請求項６に記載の本発明の建物支持構造物は、地盤に設けた基礎と、この基礎の上方に構築される建物との間に設けて前記建物を支持するものであって、前記基礎の上に、基礎上面と所定の隙間を以って金属ベース部材を支持固定し、この金属ベース部材に建物の下部を防振部材を介して又は直接固定するようにした構成である。
【００１９】
前記請求項６の構成により、建物の例えば土台を、基礎に直接固定するのではなく、基礎上面と所定の隙間を以って設けた金属ベース部材に固定するので、建物の傾きを修正する場合は、金属ベース部材と基礎上面との隙間にジャッキを設置して、建物を建物支持構造物とともにジャッキアップすることにより、容易に建物を押し上げて傾きを修正することができる。また、建物を移動させる場合でも、前記したように基礎上面と建物支持構造物との間に所定の隙間が設けられているので、コロ等を簡単に基礎上面と建物支持構造物との間に設置することができ、公知の移動手段によって容易に建物を移動させることができる。
【００２０】
【発明の実施の形態】
以下、本発明の実施の形態について説明する。
図１は本発明に係る建物支持構造物の一形態を示す説明のための簡略図である。図示のように建物１と地盤２に設けた基礎７との間に構築される建物支持構造物６は、この例ではアンカーボルト５、金属ベース部材９、受ナット１０、座金１１、座金１４、ナット１５、ボルト２１、防振部材２４及びナット２６からなる。
【００２１】
より具体的に説明すると、建物１を構築する箇所の地盤２には、鉄筋とコンクリートで形成した基礎７が、建物１の建設予定地の複数箇所に設けてある。各基礎７の凸部３には、アンカーボルト５が一部を上面８から突出するようにして埋設してある。
【００２２】
各アンカーボルト５には、同一高さ位置に金属ベース部材９を支持する受ナット１０と座金１１が図示のように取り付けてある。
【００２３】
また、前記金属ベース部材９は、例えばＣ型鋼材又はＨ型鋼材を四角枠状等の所望の構造形状に形成したものであり（図はその一部を示す）、下側のフランジ部１２には所定間隔ごとに前記アンカーボルト５を挿入する穴１３が形成してある。
【００２４】
この金属ベース部材９は、穴１３を介して上記座金１１の上に載置される。そして、フランジ部１２の上方からアンカーボルト５に、座金１４、ナット１５を取り付け、ナット１５を増す締めすることにより、金属ベース部材９は凸部３に固定される。
【００２５】
この場合、金属ベース部材９の下面１６と、凸部３の上面８及び下段面１８との間には、ジャッキ（図示せず）を設置できるだけの間隔（隙間）１９が空けられることになる。
【００２６】
前記金属ベース部材９の上側のフランジ２０には、建物１の例えば土台４（勿論、根太部材やその他の部材でもよいし、またこれらの部材と土台であってもよい。）と連結するためのボルト２１を通す穴２２が所定間隔ごとに形成されている。また、建物１の土台４にも前記各穴２２と一致する位置に貫通穴２３が形成される。
【００２７】
建物１を構築する前に前記金属ベース部材９に土台４を取り付ける場合、その間に介在させるゴム板や樹脂板等の防振部材２４を金属ベース部材９のフランジ２０の穴２２の位置に載置する。防振部材２４にもボルト挿入用の穴２５が形成されている。
【００２８】
土台４は、前記防振部材２４を介して金属ベース部材９のフランジ２０の上に載置され、ボルト２１を各穴２３、２５、２２（又は穴２２、２５、２３）の順に通してナット２６で固定される。
【００２９】
このようにして構築予定の建物１の土台４等を、金属ベース部材９等からなる建物支持構造物６を介して基礎７に固定する。
【００３０】
この例の建物支持構造物６を介して建物１を基礎７に固定することにより、地盤沈下等による建物１の傾きを修正する場合は、傾き状態から判断して所望位置のアンカーボルト５のナット１５を外し、このアンカーボルト５の凸部３の上面８又は下段面１８等にジャッキ（図示せず）を設置し、ジャッキを操作して金属ベース部材９を押し上げることにより、簡単に建物１の傾きを修正することができる。
【００３１】
この場合、ある程度所望箇所の金属ベース部材９を押し上げて建物１の傾きが修正できたら、前記アンカーボルト５の座金１１とナット１０とを、アンカーボルト５の上部に移動させ、ジャッキアップされているフランジ部１２の下面１６に当接させる。
【００３２】
そして再びナット１５をアンカーボルト５に取り付けて締め付ける。このようにすることにより従来に比べ容易に建物１の傾きを修正することができる。また、建物１を直接押し上げたりしないので、建物１が作業中に歪むといったことを極力防ぐことができる。
【００３３】
また、道路拡張等に伴い建物１を移動させる場合は、前記したように全てのアンカーボルト５のナット１３を外し、前記と同様に複数のジャッキを金属ベース部材９の下に設置し、ジャッキアップして前記金属ベース部材９等を介して建物１を押し上げ、コロ等を金属ベース部材９の下に設置して移動手段（図示せず）によって、金属ベース部材９等からなる建物支持構造物６を引いたり、押したりして建物１を移動させる。
【００３４】
このように建物支持構造物６を建物１と基礎７との間に介在させておけば、建物１を移動させる場合、建物１を直接引いたり、押したりすることなく建物１を移動させることができ、作業中に建物１を変形させてしまうといったことを防止できる。
【００３５】
なお、前記防振部材２４に替えて金属プレートを取り付けてもよい。また、建物１の土台４は直接、金属ベース部材９に取り付けてもよい。また、前記金属ベース部材９は、硬質の合成樹脂で形成したもの、或いは鋼材等の金属材と硬質の合成樹脂で形成した部材とを組み合わせて構築したものであってもよい。
【００３６】
図２、図３は本発明に係る別の例の建物支持構造物を示す簡略図であって、この建物支持構造物６も、建物１の例えば土台４と基礎７との間に設けて建物１を支持する。
【００３７】
基礎７は、この例では地盤２の地表面ＧＬから掘削した穴２７の中に石２８や砂利を敷き詰め、その上に一部を地表面ＧＬから突出するようにしてコンクリートと鉄筋で構築したものである。
【００３８】
この基礎７の上に構築する建物支持構造物６は、水平構造枠２９と、水平筋交い３０と、支持柱３１と、垂直筋交い３２と、長さ調節手段３３ａ、３３ｂと、ジャッキ上端当接部材３４等とからなる。
【００３９】
水平構造枠２９（図３参照）は、Ｈ鋼材やＣ型鋼材等の金属部材を四角形状に接合し、枠内を格子状に形成したものであり、建物１の土台４等をボルト・ナット（図示省略）等で連結固定する。また、この水平構造枠２９の各格子部３５には、対角線上に交叉するようにして水平筋交い３０が夫々取り付けてある。各水平筋交い３０は、長さ調節手段の一例であるターンバックル３３ａを備えていて、適宜長さを調節して水平構造枠２９の各部の張力を調節して強度を強化したり歪を修正したりできるようにしてある。
【００４０】
支持柱３１（図２参照）は、Ｈ鋼材やＣ型鋼材等の金属部材を所定長さに形成したものである。支持柱３１の上端には、建物１の土台４等に連結固定する当接鋼板（図示省略）が取り付けてある。また、支持柱３１の下端には、基礎７の上に載置するベース鋼板（図示省略）が溶接で取り付けてある。前記当接鋼板には、複数のボルト用の穴が開けられていて、これらの穴を介しボルト・ナット（図示省略）で支持柱３１の上部に土台４を連結固定できるようにしてある。また、前記ベース鋼板も前記当接鋼板と同様の穴を有し、基礎７から突出する各アンカーボルト（図示省略）を各穴に挿入してナットを取り付け、支持柱３１を基礎７に固定できるようにしてある。
【００４１】
さらに、前記支持柱３１には、下端寄りの側面部分の適宜箇所に水平に鋼板からなるジャッキ上端当接部材３４が溶接で固定してある。なお、このジャッキ上端当接部材３４は、全ての支持柱３１に設けるも、或いは所定の支持柱３１に設けるも自由である。またジャッキ上端当接部材３４は、１本の支持柱３１に複数取り付けてもよい。なお、ジャッキ上端当接部材３４の大きさ、形状、材質、取り付け位置は、特に限定されるものではなく、ジャッキで建物支持構造物６を押し上げる際に、伸長させるジャッキの可動上端を当接させて、建物支持構造物６を押し上げできれば如何なるものであってもよい。
【００４２】
前記した水平構造枠２９と各支持柱３１とで囲まれた垂直方向の空間１９には、調節手段の一例であるターンバックル３３ｂを備えた垂直筋交い３２が設けられている。そして前記ターンバックル３３ｂを調節することによって、垂直筋交い３２の張力を調節し、建物支持構造物６を強度補強するとともに建物支持構造物６の垂直方向の歪等を修正できるようにしてある。
【００４３】
この例の建物支持構造物６では、地盤沈下等により建物１が傾いた場合に、傾いた側の支持柱３１の下のアンカーボルトのナットを緩めた、基礎７からこの支持柱３１が外れるようにする。そして、この支持柱３１の基礎７の上にジャッキ３６を設置し、ジャッキ３６の可動上端をジャッキ上端当接部材３４に当ててジャッキアップし、ジャッキ上端当接部材１３を介して支持柱３１を押し上げる。その後、支持柱３１のベース鋼板と基礎７との隙間に鋼材等を入れて隙間を補い、再びナットで支持柱３１のベース鋼板を基礎７に固定する。
【００４４】
この作業とともに必要に応じて水平筋交い３０や垂直筋交い３２のターンバックル３３ａ、３３ｂを調節し、各筋交い３０、３２の張力を調節すればよい。
【００４５】
道路の拡張等にともなって建物１を移動しなければならなくなった場合は、各支持柱３１を基礎７に固定するナットをアンカーボルトから外し、建物支持構造物６の下の適宜の支持柱３１の傍にジャッキ３６を設置し、ジャッキアップして建物支持構造物６とともに建物１を押し上げ、建物支持構造物６の下にコロ等を設置して移動手段（図示せず）によって建物支持構造物６を引いたり或いは押したりして、建物１を移動させればよい。
【００４６】
この例の建物支持構造物６では、建物１を強固に支持することができ、また、前記した例でも述べたように建物１の移動の際に建物１を歪ませるといったことを防止できる。さらに、この建物支持構造物６を介在させることによって建物１の下の通気性も良くなり、白アリ対策にも効果を発揮する。
【００４７】
図４に示す例の建物支持構造物６は、Ｌ鋼材やＣ鋼材等の金属部材で組み立てた一例の鉄骨トラス構造体３７によって構成されている。鉄骨トラス構造体３７は、下部を地盤２に設けた複数の基礎７の上にボルト・ナットで固定し、上部に建物１の例えば土台４を固定して建物全体を構築し建物１を支持する。この構成の建物支持構造物６では、重量物の建物１も少ない数の基礎７（不沈しない不動点）で強固に支えることができる。
【００４８】
また、図５及び図６も複数の鉄骨トラス構造体３７を組み合わせて建物１を支える建物支持構造物６を構成した例である。建物支持構造物６を鉄骨トラス構造体３７で構築することによって、基礎７間のスパンを長くでき、独立した基礎７の数を少なくできる。勿論、仮想線で示したように基礎７を鉄骨トラス構造体３７の中間に設けてもよい。また、鉄骨トラス構造体３７のトラス形状は、種々の形状にして設計するも自由である。
【００４９】
図７に示す例では、地盤２に設けた複数の杭３９の上にまた別の鉄骨トラス構造体３７等からなる建物支持構造物６を設け、この建物支持構造物６にビル等の建物６を構築してある。勿論、トラスの組み方は図示の例に限らず他の組み方の構成であってもよい。
【００５０】
図８のａ〜ｄは本発明に係る建物支持構造物を容易に構築できるようにユニット化した接合ユニット部材４０であって、図示の各例ではＨ鋼を溶接等で接合して＋形状（図８ａ）、Ｔ形状（図８ｂ）、Ｌ形状（図８ｃ）、−形状（図８ｄ）に形成したものである。各接合ユニット部材４０のフランジ部４１の端部には、接続鋼板（図示せず）を介して所望の接合ユニット部材４０をボルト・ナットで接続できるように複数の孔４２が形成してある。
【００５１】
また、各接合ユニット部材４０には、基礎から上方に突出するアンカーボルトを挿入できる穴（図示省略）が形成されている、さらに接合ユニット部材４０ａ、４０ｂ、４０ｃの所定の箇所には、ジャッキ上端当接部材３４が溶接してある。
【００５２】
前記の各接合ユニット部材４０は、接続板やボルト・ナット等で接続して所望の全体形状になるように建物支持構造物を構築すればよい。
【００５３】
基礎の上に前記各接合ユニット部材４０を組み合わせて建物支持構造物を構築する場合は、各接合ユニット部材４０のジャッキ上端当接部材３４側を上にして構築すればよい。勿論、ジャッキ上端当接部材３４を設けた側を下にして基礎に取り付けてもよい。なお、接合ユニット部材４０の形状は、図示の例に限らず、他の形状に形成するも自由である。またＨ鋼に限らず他の型鋼や部材を使用してもよい。
【００５４】
また、本発明の建物支持構造物を構築する場合、図９のａ〜ｃに簡略図で示すような免震装置４３、転動装置４４又はジャッキ装置４５を基礎７の上に設置し、これらの上に建物支持構造物６の支柱部４６が位置するようにして前記建物支持構造物６を取り付けてもよい。
【００５５】
例えば建物支持構造物６の所定の箇所にジャッキ装置４５を設けておくことによって、建物が傾いたりした場合にはジャッキ装置４５を操作してジャッキアップすることにより、簡単に建物の傾きを修正することができる。また、前記のように転動装置４４や免震装置４３を取り付けておくことにより、地震等で建物が揺れに対応して建物の倒壊等を防止できる。
【００５６】
また、図１０及び図１１に示すように、建物支持構造物６を介して建物を支持する複数の基礎７の上に、円形状にレール４７を設け、このレール４７の上に複数の転動装置４４を介して建物支持構造物６を設け、この建物支持構造物６の上に建物（図示省略）を設けてもよい。
【００５７】
このような構成にすることにより、建物支持構造物６を牽引車やウインチ等で引けば、建物支持構造物６とともに転動装置４４がレール４７上を移動して、建物を変形させることなく安全にかつ容易に建物の向きを所望の方向に向けることができる。
【００５８】
なお、本発明において、建物支持構造物を構築するのに使用する部材としては、前記したＨ鋼をはじめ種々の型鋼材、プラスチック部材、型鋼材とプラスチック部材を組み合わせた構成部材や、これらの各部材に塗膜を施した部材を使用すればよい。
【００５９】
さらに、図１２に示すように建物１を支持する本発明の種々の構造の建物支持構造物６と基礎７との間には、支持柱４８並びに鉛製の制震ダンパ４９を設けてもよい。この場合、前記支持柱４８の底部には摺動板５０が設けられていて、地震等によって建物１が揺れた時に、基礎７の上面を滑るようにしてある。また制震ダンパ４９は、前記のように建物１が揺れた時に屈曲して揺れの強さを減衰させる。また、図１３の例では建物支持構造物６と基礎７との間に、前記した制震ダンパ４９並びに各種のアイソレータ（ｉｓｏｌａｔｏｒ）５１が設けてあり、前記した揺れの時に、制震ダンパ４９によって震動エネルギーを吸収させるとともに、アイソレータ５１によって揺れの強さを減衰させ、地震等による建物１への悪影響を防止できるようにしてある。
【００６０】
【発明の効果】
このように本発明の建物支持構造物は、建物と基礎との間に介在させて建物を支持するものであるので、建物を強固に支持して基礎に固定できる。また、地盤沈下等による建物の傾きの修正のときや、道路拡張等による建物の移動のときに、建物を直接押し上げたり引いたりすることなく、本発明の建物支持構造物を押し上げたり引いたりして建物の傾き修正や、移動を行うことができ、これらの作業時に建物を歪ませて変形させる心配もない。また、これらの作業も容易にかつ迅速に行うことができる。
【００６１】
また、建物支持構造物をトラス構造に構成することにより、重量物の建物も少ない基礎（不沈しない不動点）で支えることができる。
【００６２】
また、支持柱の適宜箇所にジャッキ押し上げ用のジャッキ上端当接部材を設けることにより、地盤沈下等によって建物が傾いた場合でも、ジャッキ上端当接部材にジャッキのジャッキ上端を当接させて押し上げることにより、簡単に建物の傾きを修正することができる。
【００６３】
さらに、建物を移動させる場合も、各支持柱の位置にジャッキを設置し易く、迅速に建物の押し上げ作業を行うことができ、建物の移動も簡単に行うことができる。
【００６４】
また、本発明の建物支持構造物を構成する水平構造枠と各支持柱とで囲まれた箇所は、空間であるため建物の下の通気性が良く、白アリ等の対策にも効果的である。
【００６５】
また、適宜長さ調節手段を操作して水平筋交い又は／及び垂直筋交いの長さを調節することにより、最適な強度で建物支持構造物を保持して建物を基礎に固定することができる。
【００６６】
また、基礎上面と所定の隙間を以って設ける金属ベース部材等から成る本発明の建物支持構造物も、金属ベース部材と基礎との隙間から容易にジャッキを所望位置に設置でき、建物を建物支持構造物とともに容易にジャッキアップできて、建物を容易に押し上げて傾きを修正できる。また、前記のように建物を建物支持構造物とともに容易にジャッキアップできるので、建物支持構造物の下にコロ等を簡単に設置でき、建物の移動作業を迅速に行うことができる。
【００６７】
【図面の簡単な説明】
【図１】本発明に係る一例の建物支持構造物のための説明の簡略図である。
【図２】本発明に係る他の例の建物支持構造物の説明の簡略図である。
【図３】本発明に係る一例の建物支持構造物の平面視した説明の簡略図である。
【図４】本発明に係る別の例の建物支持構造物の説明の簡略図である。
【図５】トラス構造から成る建物支持構造物の説明の簡略図である。
【図６】図５の建物支持構造物の平面視した説明の簡略図である。
【図７】杭基礎の上に建物支持構造物を設けた説明の簡略図である。
【図８】各接合ユニット部材の簡略図である。
【図９】建物支持構造物に備える各装置の説明の簡略図である。
【図１０】基礎上にレールを配しその上に建物支持構造物を設けた説明の簡略平面図である。
【図１１】図１０の基礎上にレールを設けた例の簡略図である。
【図１２】建物支持構造物と基礎の間に免振装置を設けた例の説明図である。
【図１３】建物支持構造物と基礎の間に免振装置を設けた他の例の説明図である。
【図１４】従来例の簡略図である。
【符号の説明】
１        建物
２        地盤
４        土台
６        建物支持構造物
７        基礎
９        金属ベース部材
１９          空間
２４      防振部材
２９      水平構造枠
３０      水平筋交い
３１      支持柱
３２      垂直筋交い
３３ａ，３３ｂ    ターンバックル（長さ調節手段）
３４      ジャッキ上端当接部材
３７      鉄骨トラス構造体
【図１】
2004232205.tif 000003
【図２】
2004232205.tif 000004
【図３】
2004232205.tif 000005
【図４】
2004232205.tif 000006
【図５】
2004232205.tif 000007
【図６】
2004232205.tif 000008
【図７】
2004232205.tif 000009
【図８】
2004232205.tif 000010
【図９】
2004232205.tif 000011
【図１０】
2004232205.tif 000012
【図１１】
2004232205.tif 000013
【図１２】
2004232205.tif 000014
【図１３】
2004232205.tif 000015
【図１４】
2004232205.tif 000016